(57)【要約】【課題】複数のコネクタが効率的に実装された電子機器を提供することが課題になっていた。【解決手段】実施形態の電子機器は、第１および第２の補強部材を備えた第１のコネクタの少なくとも一部が電子基板に設けられた第１のコネクタ収容部に収容され、前記第１のコネクタの前記第１および第２の補強部材を介して前記電子基板に固定された第１のコネクタ固定部を備える。また、前記第１のコネクタ固定部に隣接して設けられ、第１および第２の補強部材を備えた第２のコネクタの少なくとも一部が前記電子基板に設けられた第２のコネクタ収容部に収容され、前記第２のコネクタの前記第１および第２の補強部材を介して前記電子基板に固定された第２のコネクタ固定部を備える。また、前記第１のコネクタの前記第２の補強部材と前記第２のコネクタの前記第１の補強部材はずらして設けられる。【選択図】  図１
2012221649.tif 000002
【特許請求の範囲】
【請求項１】
第１および第２の補強部材を備えた第１のコネクタの少なくとも一部が電子基板に設けられた第１のコネクタ収容部に収容され、前記第１のコネクタの前記第１および第２の補強部材を介して前記電子基板に固定された第１のコネクタ固定部と、
前記第１のコネクタ固定部に隣接して設けられ、第１および第２の補強部材を備えた第２のコネクタの少なくとも一部が前記電子基板に設けられた第２のコネクタ収容部に収容され、前記第２のコネクタの前記第１および第２の補強部材を介して前記電子基板に固定された第２のコネクタ固定部を備え、前記第１のコネクタの前記第２の補強部材と前記第２のコネクタの前記第１の補強部材はずらして設けられる電子機器。
【請求項２】
前記第１のコネクタの前記第２の補強部材と前記第２のコネクタの前記第１の補強部材は隣接して設けられる請求項１に記載の電子機器。
【請求項３】
前記第１のコネクタの前記第１の補強部材と前記第２の補強部材は非対称の位置に設けられる請求項１または２に記載の電子機器。
【請求項４】
前記第１のコネクタの前記第１の補強部材は、前記第１のコネクタの前記第２の補強部材とは異なる面に設けられる請求項１乃至３のいずれかに記載の電子機器。
【請求項５】
前記第１のコネクタの前記第２の補強部材と前記第２のコネクタの前記第１の補強部材は接触しないように設けられる請求項１乃至４のいずれかに記載の電子機器。
【請求項６】
前記第１のコネクタおよび前記第２のコネクタはオフセットタイプである請求項１乃至５のいずれかに記載の電子機器。
【請求項７】
第１および第２の補強部材を備えた第１のコネクタの少なくとも一部が電子基板に設けられた第１のコネクタ収容部に収容され、前記第１のコネクタの前記第１および第２の補強部材を介して前記電子基板に固定された第１のコネクタ固定部と、
前記第１のコネクタ固定部に隣接して設けられ、第１および第２の補強部材を備えた第２のコネクタの少なくとも一部が前記電子基板に設けられた第２のコネクタ収容部に収容され、前記第２のコネクタの前記第１および第２の補強部材を介して前記電子基板に固定された第２のコネクタ固定部と、
前記第２のコネクタ固定部に隣接して設けられ、第１および第２の補強部材を備えた第３のコネクタの少なくとも一部が前記電子基板に設けられた第３のコネクタ収容部に収容され、前記第３のコネクタの前記第１および第２の補強部材を介して前記電子基板に固定された第３のコネクタ固定部を備え、前記第１のコネクタの前記第２の補強部材と前記第２のコネクタの前記第１の補強部材、および前記第２のコネクタの前記第２の補強部材と前記第３のコネクタの前記第１の補強部材はそれぞれずらして設けられる電子機器。
【発明の詳細な説明】
【技術分野】
【０００１】
本発明の実施形態は、電子機器に関する。
【背景技術】
【０００２】
現在、外部機器からの接続（コネクト）を可能にするＵＳＢ（ユーエスビー、Universal Serial Bus、ユニバーサル・シリアル・バス）等のコネクタを備えた、パーソナルコンピュータ（ＰＣ）等の電子機器が普及している。
【０００３】
また、近年、コネクタを複数備える電子機器が普及している。
これ等の電子機器は小型化、薄型化が求められ、複数のコネクタを、効率的に電子機器に実装することが求められている。
【先行技術文献】
【特許文献】
【０００４】
【特許文献１】特開２００１−２２８３６２号公報
【発明の概要】
【発明が解決しようとする課題】
【０００５】
複数のコネクタが効率的に実装された電子機器を提供することが課題になっていた。
【課題を解決するための手段】
【０００６】
実施形態の電子機器は、第１および第２の補強部材を備えた第１のコネクタの少なくとも一部が電子基板に設けられた第１のコネクタ収容部に収容され、前記第１のコネクタの前記第１および第２の補強部材を介して前記電子基板に固定された第１のコネクタ固定部を備える。
【０００７】
また、前記第１のコネクタ固定部に隣接して設けられ、第１および第２の補強部材を備えた第２のコネクタの少なくとも一部が前記電子基板に設けられた第２のコネクタ収容部に収容され、前記第２のコネクタの前記第１および第２の補強部材を介して前記電子基板に固定された第２のコネクタ固定部を備える。
【０００８】
また、前記第１のコネクタの前記第２の補強部材と前記第２のコネクタの前記第１の補強部材はずらして設けられる。
【図面の簡単な説明】
【０００９】
【図１】実施形態に係わる電子機器の外観の一例を示す図。
【図２】実施形態に係わる電子機器の構成の一例を示すブロック図。
【図３】実施形態に係わる電子機器において、ＵＳＢコネクタ（Ｂ端子）が収容されるＵＳＢコネクタ収容部を備える電子基板の一例を示す図。
【図４】実施形態に係わる電子機器において、ＵＳＢコネクタ収容部にＵＳＢコネクタ（Ｂ端子）が収容されたコネクタ固定部を示す図。
【図５】実施形態に係わる電子機器において、ＵＳＢコネクタ収容部にＵＳＢコネクタ（Ｂ端子）が収容されたコネクタ固定部を詳細に示す図。
【図６】実施形態に係わる電子機器において、電子基板の横方向から、ＵＳＢコネクタ収容部にＵＳＢコネクタ（Ｂ端子）が収容されたコネクタ固定部を見た図。
【図７】他の実施形態に係わる電子機器において、ＵＳＢコネクタ収容部にＵＳＢコネクタ（Ｂ端子）が収容されたコネクタ固定部を詳細に示す図。
【発明を実施するための形態】
【００１０】
以下、図面を参照し、実施の形態を説明する。
図１は、実施形態に係わる電子機器の外観の一例を示す図である。
この実施の形態においては、電子機器の一例として、例えばノートブックタイプのパーソナルコンピュータ（ノートＰＣ）１０を用いて説明を行う。
なお、この実施の形態はパーソナルコンピュータに限られることはなく、スレートＰＣや、ＴＶ、携帯電話、その他携帯型の電子機器等に適用することも可能である。
【００１１】
図１に示すように、本電子機器（ノートＰＣ）１０は、コンピュータ（ノートＰＣ）本体１１と、映像表示部（ディスプレイユニット）１２とから構成されている。映像表示部（ディスプレイユニット）１２には、例えば、ＬＣＤ（liquid crystal display）１７が組み込まれている。
【００１２】
映像表示部（ディスプレイユニット）１２は、コンピュータ（ノートＰＣ）本体１１の上面が露出される開放位置とコンピュータ（ノートＰＣ）本体１１の上面を覆う閉塞位置との間を回動自在にコンピュータ（ノートＰＣ）本体１１に取り付けられている。
【００１３】
コンピュータ（ノートＰＣ）本体１１は、薄い箱形の筐体を有しており、その上面には、キーボード１３、本電子機器（ノートＰＣ）１０を電源オン／電源オフするためのパワーボタン１４、入力操作パネル１５、タッチパッド１６、スピーカ１８Ａ，１８Ｂなどが配置されている。入力操作パネル１５上には、各種操作ボタンが設けられている。
【００１４】
また、この実施の形態においては、コンピュータ（ノートＰＣ）本体１１の右側面には、例えばＵＳＢ（universal serial bus）２．０規格あるいは３．０規格等のＵＳＢケーブルやＵＳＢデバイスを接続するためのＵＳＢコネクタ（Ｂ端子）が３つ（１９Ａ、１９Ｂ、１９Ｃ）設けられている。
【００１５】
さらに、コンピュータ（ノートＰＣ）本体１１の背面には、例えばＨＤＭＩ(high-definition multimedia interface)規格に対応した外部ディスプレイ接続端子（図示せず）が設けられている。この外部ディスプレイ接続端子は、デジタル映像信号を外部ディスプレイに出力するために用いられる。
【００１６】
図２は、実施形態に係わる電子機器の一例の構成を示すブロック図である。
本電子機器（ノートＰＣ）１０は、図２に示されているように、ＣＰＵ（central processing unit）１０１、ノースブリッジ１０２、主メモリ１０３、サウスブリッジ１０４、ＧＰＵ（Graphics Processing Unit）１０５、ＶＲＡＭ（ビデオＲＡＭ:random access memory）１０５Ａ、サウンドコントローラ１０６、ＢＩＯＳ−ＲＯＭ（basic input/output system-read only memory）１０７、ＬＡＮ（local area network）コントローラ１０８、ハードディスクドライブ（ＨＤＤ（記憶装置））１０９、光ディスクドライブ（ＯＤＤ）１１０、ＵＳＢコントローラ１１１Ａ、カードコントローラ１１１Ｂ、無線ＬＡＮコントローラ１１２、エンベデッドコントローラ／キーボードコントローラ（ＥＣ／ＫＢＣ）１１３、ＥＥＰＲＯＭ（electrically erasable programmable ROM）１１４等を備える。
【００１７】
ＣＰＵ１０１は、本電子機器（ノートＰＣ）１０内の各部の動作を制御するプロセッサである。
ＣＰＵ１０１は、ＢＩＯＳ−ＲＯＭ１０７に格納されたＢＩＯＳを実行する。ＢＩＯＳは、ハードウェア制御のためのプログラムである。
ノースブリッジ１０２は、ＣＰＵ１０１のローカルバスとサウスブリッジ１０４との間を接続するブリッジデバイスである。ノースブリッジ１０２には、主メモリ１０３をアクセス制御するメモリコントローラも内蔵されている。また、ノースブリッジ１０２は、例えば、PCI EXPRESS規格のシリアルバスなどを介してＧＰＵ１０５との通信を実行する機能も有している。
【００１８】
ＧＰＵ１０５は、本電子機器（ノートＰＣ）１０のディスプレイモニタとして使用されるＬＣＤ１７を制御する表示コントローラである。
このＧＰＵ１０５によって生成される表示信号はＬＣＤ１７に送られる。また、ＧＰＵ１０５は、ＨＤＭＩ制御回路３およびＨＤＭＩ端子２を介して、外部ディスプレイ１にデジタル映像信号を送出することもできる。
【００１９】
ＨＤＭＩ端子２は、前述の外部ディスプレイ接続端子である。ＨＤＭＩ端子２は、非圧縮のデジタル映像信号とデジタルオーディオ信号とを１本のケーブルでテレビのような外部ディスプレイ１に送出することができる。ＨＤＭＩ制御回路３は、ＨＤＭＩモニタと称される外部ディスプレイ１にデジタル映像信号を、ＨＤＭＩ端子２を介して送出するためのインタフェースである。
【００２０】
サウスブリッジ１０４は、ＰＣＩ（Peripheral Component Interconnect）バス上の各デバイス及びＬＰＣ（Low Pin Count）バス上の各デバイスを制御する。また、サウスブリッジ１０４は、ＨＤＤ１０９及びＯＤＤ１１０を制御するためのＩＤＥ（Integrated Drive Electronics）コントローラを内蔵している。
【００２１】
さらに、サウスブリッジ１０４は、サウンドコントローラ１０６との通信を実行する機能も有している。
サウンドコントローラ１０６は音源デバイスであり、再生対象のオーディオデータをスピーカ１８Ａ，１８ＢまたはＨＤＭＩ制御回路３に出力する。ＬＡＮコントローラ１０８は、例えばIEEE 802.3規格の有線通信を実行する有線通信デバイスであり、一方、無線ＬＡＮコントローラ１１２は、例えばIEEE 802.11g規格の無線通信を実行する無線通信デバイスである。ＵＳＢコントローラ１１１Ａは、（３つ（１９Ａ、１９Ｂ、１９Ｃ）のＵＳＢコネクタ（Ｂ端子）を介して接続される）例えばＵＳＢ ２．０規格あるいは３．０規格に対応した外部機器との通信を実行する。
【００２２】
例えば、ＵＳＢコントローラ１１１Ａは、例えば、デジタルカメラに格納されている画像データファイルを受信するために使用される。カードコントローラ１１１Ｂは、コンピュータ（ノートＰＣ）本体１１に設けられたカードスロットに挿入される、ＳＤカードのようなメモリカードに対するデータの書き込み及び読み出しを実行する。
【００２３】
ＥＣ／ＫＢＣ１１３は、電力管理のためのエンベデッドコントローラと、キーボード１３及びタッチパッド１６を制御するためのキーボードコントローラとが集積された１チップマイクロコンピュータである。ＥＣ／ＫＢＣ１１３は、ユーザによるパワーボタン１４の操作に応じて本電子機器（ノートＰＣ）１０を電源オン／電源オフする機能を有している。
【００２４】
図３は、実施形態に係わる電子機器において、ＵＳＢコネクタ（Ｂ端子）が収容されるＵＳＢコネクタ収容部を備える電子基板の一例を示す図である。
符号２０は、例えば上記図２で説明した電子機器の構成の一部が、電子部品として載置される電子基板である。この実施の形態においては、この電子基板２０上に上記電子部品が載置される（図示せず）。
【００２５】
符号１９Ａは後述するように、ＵＳＢコネクタ（Ｂ端子）の少なくとも一部が収容されるＵＳＢコネクタ（Ｂ端子）収容部である。符号１９Ｂは、他のＵＳＢコネクタ（Ｂ端子）の少なくとも一部が収容されるＵＳＢコネクタ（Ｂ端子）収容部である。また、符号１９Ｃはその他のＵＳＢコネクタ（Ｂ端子）の少なくとも一部が収容されるＵＳＢコネクタ（Ｂ端子）収容部である。
【００２６】
この実施の形態においては、これらのＵＳＢコネクタ（Ｂ端子）収容部（１９Ａ、１９Ｂ、１９Ｃ）は、例えば、電子基板２０に切り欠きや穴を設けることによって構成される。
【００２７】
ここでは、３つのＵＳＢコネクタ（Ｂ端子）収容部（１９Ａ、１９Ｂ、１９Ｃ）が電子機器１０の本体１１の筐体に沿うように、隣接して設けられている。
図４は、実施形態に係わる電子機器において、ＵＳＢコネクタ収容部にＵＳＢコネクタ（Ｂ端子）が収容されたコネクタ固定部を示す図である。
符号２２ＡはＵＳＢコネクタ（オフセットタイプ）である。また、符号２２Ｂ、符号２２ＣもＵＳＢコネクタ（オフセットタイプ）である。
オフセットタイプのＵＳＢコネクタについては後述するが、この実施の形態においては、ＵＳＢコネクタ２２Ａは、上記ＵＳＢコネクタ（Ｂ端子）収容部１９Ａに、少なくともその一部が収容される。
【００２８】
同様に、この実施の形態においては、ＵＳＢコネクタ２２Ｂは、上記ＵＳＢコネクタ（Ｂ端子）収容部１９Ｂに、また、ＵＳＢコネクタ２２Ｃは、上記ＵＳＢコネクタ（Ｂ端子）収容部１９Ｃに、それぞれ、少なくともその一部が収容される。
【００２９】
図５は、実施形態に係わる電子機器において、ＵＳＢコネクタ収容部にＵＳＢコネクタ（Ｂ端子）が収容されたコネクタ固定部を詳細に示す図である。
符号２３ＡはＵＳＢコネクタ２２Ａが上記電子部品と電気的な接続を行なうための信号ピンである。同様に、符号２３ＢはＵＳＢコネクタ２２Ｂが上記電子部品と電気的な接続を行なうための信号ピン、符号２３ＣはＵＳＢコネクタ２２Ｃが上記電子部品と電気的な接続を行なうための信号ピンである。
【００３０】
また、符号２４ＡはＵＳＢコネクタ２２Ａを電子基板２０に固定し、また固定強度を補強するための第１補強ピンである。符号２５ＡもＵＳＢコネクタ２２Ａを電子基板２０に固定し、また固定強度を補強するための第２補強ピンである。
【００３１】
図５に示すように、この実施の形態においては、これらの第１補強ピン２４Ａと第２補強ピン２５Ａは、ＵＳＢコネクタ２２Ａへの取り付けにおいて、それぞれが同一直線状に乗らない位置、例えば、対称的でない、非対称な位置で取り付けられている。
【００３２】
すなわち、この実施の形態においては、第１のコネクタ（ＵＳＢコネクタ２２Ａ）は、第１の補強部材（第１補強ピン２４Ａ）および第２の補強部材（第２補強ピン２５Ａ）を備えている。そして、この第１のコネクタ（ＵＳＢコネクタ２２Ａ）の少なくとも一部が電子基板２０に設けられた第１のコネクタ収容部（ＵＳＢコネクタ（Ｂ端子）収容部１９Ａ）に収容される。
【００３３】
また、第１のコネクタ（ＵＳＢコネクタ２２Ａ）は、第１の補強部材（第１補強ピン２４Ａ）および第２の補強部材（第２補強ピン２５Ａ）を介して電子基板２０に固定される。ここでは、これらの構成を第１のコネクタ固定部１と呼ぶ。
【００３４】
符号２４Ｂは第１補強ピン、符号２５Ｂは第２補強ピンである。
これらも同様に、この実施の形態においては、これらの第１補強ピン２４Ｂと第２補強ピン２５Ｂは、ＵＳＢコネクタ２２Ｂへの取り付けにおいて、それぞれが同一直線状に乗らない位置、例えば、対称的でない、非対称な位置で取り付けられている。
【００３５】
すなわち、この実施の形態においては、上記と同様に、第２のコネクタ（ＵＳＢコネクタ２２Ｂ）は、第１の補強部材（第１補強ピン２４Ｂ）および第２の補強部材（第２補強ピン２５Ｂ）を備えている。そして、この第２のコネクタ（ＵＳＢコネクタ２２Ｂ）の少なくとも一部が電子基板２０に設けられた第１のコネクタ収容部（ＵＳＢコネクタ（Ｂ端子）収容部１９Ｂ）に収容される。
【００３６】
また、第２のコネクタ（ＵＳＢコネクタ２２Ｂ）は、第１の補強部材（第１補強ピン２４Ｂ）および第２の補強部材（第２補強ピン２５Ｂ）を介して電子基板２０に固定される。ここでは、これらの構成を第２のコネクタ固定部２と呼ぶ。
【００３７】
符号２４Ｃは第１補強ピン、符号２５Ｃは第２補強ピンである。
これらも同様に、この実施の形態においては、これらの第１補強ピン２４Ｃと第２補強ピン２５Ｃは、ＵＳＢコネクタ２２Ｃへの取り付けにおいて、それぞれが同一直線状に乗らない位置、例えば、対称的でない、非対称な位置で取り付けられている。
【００３８】
すなわち、この実施の形態においては、上記と同様に、第３のコネクタ（ＵＳＢコネクタ２２Ｃ）は、第１の補強部材（第１補強ピン２４Ｃ）および第２の補強部材（第２補強ピン２５Ｃ）を備えている。そして、この第３のコネクタ（ＵＳＢコネクタ２２Ｃ）の少なくとも一部が電子基板２０に設けられた第１のコネクタ収容部（ＵＳＢコネクタ（Ｂ端子）収容部１９Ｃ）に収容される。
【００３９】
また、第３のコネクタ（ＵＳＢコネクタ２２Ｃ）は、第１の補強部材（第１補強ピン２４Ｃ）および第２の補強部材（第２補強ピン２５Ｃ）を介して電子基板２０に固定される。ここでは、これらの構成を第３のコネクタ固定部３と呼ぶ。
【００４０】
そして、上記のように、第１のコネクタ固定部１と第２のコネクタ固定部２は、隣接して設けられる。
すなわち、ここでは、ＵＳＢコネクタ２２Ａが収容される上記ＵＳＢコネクタ（Ｂ端子）収容部１９Ａ、ＵＳＢコネクタ２２Ｂが収容される上記ＵＳＢコネクタ（Ｂ端子）収容部１９Ｂ、ＵＳＢコネクタ２２Ｃが収容される上記ＵＳＢコネクタ（Ｂ端子）収容部１９Ｃは、電子基板２０に切り欠きが設けられることで構成される。
【００４１】
また、図５に示すように、例えば、第１のコネクタ（ＵＳＢコネクタ２２Ａ）の第２の補強部材（第２補強ピン２５Ａ）と第２のコネクタ（ＵＳＢコネクタ２２Ｂ）の第１の補強部材（第１補強ピン２４Ｂ）はずらして設けられる。
【００４２】
また、第１のコネクタ（ＵＳＢコネクタ２２Ａ）の第２の補強部材（第２補強ピン２５Ａ）と第２のコネクタ（ＵＳＢコネクタ２２Ｂ）の第１の補強部材（第１補強ピン２４Ｂ）は接触しないように設けられる。
【００４３】
また、同様に、例えば、第２のコネクタ（ＵＳＢコネクタ２２Ｂ）の第２の補強部材（第２補強ピン２５Ｂ）と第３のコネクタ（ＵＳＢコネクタ２２Ｃ）の第１の補強部材（第１補強ピン２４Ｃ）はずらして設けられる。
【００４４】
また、第２のコネクタ（ＵＳＢコネクタ２２Ｂ）の第２の補強部材（第２補強ピン２５Ｂ）と第３のコネクタ（ＵＳＢコネクタ２２Ｃ）の第１の補強部材（第１補強ピン２４Ｃ）は接触しないように設けられる。
【００４５】
このように、この実施の形態においては、USBコネクタ等のオフセットタイプの挿入部品（DIP）において、例えば、USBコネクタ（１９Ａ、１９Ｂ、１９Ｃ）本体の側部に位置する第１補強ピンと第２補強ピンがずれる（一直線上でない）ように構成している。
【００４６】
例えば、一般に、USB等のオフセットタイプの電子部品は電子機器の厚さを薄くすることが可能があるが、図６の説明で後述するオンボードタイプに比べ、実装が横方向に広がりやすい。
【００４７】
しかし、この実施の形態においては、例えば、例えば、USBコネクタ（１９Ａ、１９Ｂ、１９Ｃ）間の部品間隔を狭くすることが可能になり、高密度の実装を可能にすることができる。
【００４８】
これによって、例えば、複数のコネクタが効率的に実装された電子機器を提供することが可能になる。
また、この実施の形態においては、上記のように、電子基板２０に第１のコネクタ固定部１、第２のコネクタ固定部２、第３のコネクタ固定部３が設けられる。そして、この電子基板２０は、例えば、図１に示すように、電子機器１０の筐体内に収容され、例えば、外部から、ＵＳＢケーブルコネクタ（Ａ端子）が挿入され、ＵＳＢに係る電気的な接続が可能になる。
【００４９】
符号４１は外部から挿入されるＵＳＢケーブルコネクタ（Ａ端子）の一例を示している。例えば、このＵＳＢケーブルコネクタ（Ａ端子）４１は、上記第１のコネクタ固定部１、第２のコネクタ固定部２、第３のコネクタ固定部３のいずれかに挿入し、ＵＳＢに係る電気的な接続が可能になる。
【００５０】
なお、この実施の形態においては、ＵＳＢコネクタ２２Ａが収容される上記ＵＳＢコネクタ（Ｂ端子）収容部１９Ａ、ＵＳＢコネクタ２２Ｂが収容される上記ＵＳＢコネクタ（Ｂ端子）収容部１９Ｂ、ＵＳＢコネクタ２２Ｃが収容される上記ＵＳＢコネクタ（Ｂ端子）収容部１９Ｃは、電子基板２０に切り欠きが設けられる例を用いたが、これらの一部または全部は電子基板２０に穴等（図示せず）を設けることで構成することも可能である。
【００５１】
図６は、実施形態に係わる電子機器において、上記電子基板２０の横方向から、ＵＳＢコネクタ収容部（１９Ａ、１９Ｂ、１９Ｃ）に、オフセットタイプのＵＳＢコネクタ（Ｂ端子）（２２Ａ、２２Ｂ、２２Ｃ）が収容された第１乃至第３のコネクタ固定部（１、２、３）を見た図である。
【００５２】
ここでは、第１のコネクタ固定部１を見た図を示している。
図６に示すように、電子基板２０には、例えば、切り欠きや穴で構成されたＵＳＢコネクタ（Ｂ端子）収容部１９Ａが設けられている。
また、同様に、この電子基板２０には、切り欠きや穴で構成された第１補強ピン収容部２６Ａおよび第２補強ピン収容部２７Ａが設けられている。
ここで、ＵＳＢコネクタ（Ｂ端子）について説明する。
ＵＳＢコネクタ（Ｂ端子）には、例えば、ＵＳＢコネクタ（Ｂ端子）の下面に第１補強ピンおよび第２補強ピンの２つの補強ピンが設けられ、電子基板の上に載置するオンボードタイプおよび、ＵＳＢコネクタ（Ｂ端子）の第１の側面に第１補強ピンが設けられ、第１の側面とは異なる第２の側面に第２補強ピン２５Ａが設けられ、また、ＵＳＢコネクタ（Ｂ端子）を電子基板に設けられた切り欠きに収容するオフセットタイプがある。
【００５３】
この実施の形態においては、ＵＳＢコネクタ（Ｂ端子）２２Ａは、オフセットタイプである。そして、ＵＳＢコネクタ（Ｂ端子）２２Ａの第１の側面に、第１補強ピン２４Ａが設けられる。また、上記第１の側面とは異なる、ＵＳＢコネクタ（Ｂ端子）２２Ａの第２の側面に、第２補強ピン２５Ａが設けられる。
【００５４】
そして、ここでは、オフセットタイプのＵＳＢコネクタ（Ｂ端子）２２Ａは、例えば、図６に示すように、ＵＳＢコネクタ（Ｂ端子）収容部１９Ａに、少なくともその一部が収容される。
【００５５】
これによって、例えば、電子基板２０の厚みが足されないので、第１のコネクタ固定部１の厚さを低減することが可能になる。
また、第１補強ピン収容部２６Ａには、第１補強ピン２４Ａの一部が収容され、特に図示しないが、例えば、はんだ付け等で固定され、ＵＳＢコネクタ（Ｂ端子）２２Ａの電子基板２０への固定を補強する。また、同様に、第２補強ピン収容部２５Ａには、第２補強ピン２５Ａの一部が収容され、例えば、はんだ付け等で固定され、ＵＳＢコネクタ（Ｂ端子）２２Ａの電子基板２０への固定を補強する。
【００５６】
すなわち、この実施の形態においては、第１のコネクタ（ＵＳＢコネクタ２２Ａ）の第１の補強部材（第１補強ピン２４Ａ）は、第１のコネクタ（ＵＳＢコネクタ２２Ａ）の第２の補強部材（第２補強ピン２５Ａ）とは異なる面に設けられる。
【００５７】
また、第１のコネクタ（ＵＳＢコネクタ２２Ａ）および第２のコネクタ（ＵＳＢコネクタ２２Ｂ）はオフセットタイプである。
このように、この実施の形態においては、上記のように、USBコネクタ等の例えば、側部に設けられた２つの補強ピンをそれぞれずらしている。また、このＵＳＢコネクタを並べ、複数実装し、ＵＳＢコネクタ間の間隔（部品間隔）を狭くすることが可能になる。
【００５８】
これによって、複数のコネクタが効率的に実装された電子機器を提供することが可能になる。
図７は、他の実施形態に係わる電子機器において、ＵＳＢコネクタ収容部にＵＳＢコネクタ（Ｂ端子）が収容されたコネクタ固定部を詳細に示す図である。
この実施の形態においては、図７に示すように、ＵＳＢコネクタ（Ｂ端子）２２Ａは、さらに第３補強ピン３０Ａを備えている。また、同様に、ＵＳＢコネクタ（Ｂ端子）２２Ｂは、第３補強ピン３０Ｂを、また、ＵＳＢコネクタ（Ｂ端子）２２Ｃは、さらに第３補強ピン３０Ｃを備えている。
【００５９】
これらの第３補強ピン（３０Ａ、３０Ｂ、３０Ｃ）は、それぞれ上記第２補強ピン（２５Ａ、２５Ｂ、２５Ｃ）とはずらして、ＵＳＢコネクタ（Ｂ端子）（２２Ａ、２２Ｂ、２２Ｃ）に構成され、電子基板２０に固定され、ＵＳＢコネクタ（Ｂ端子）（２２Ａ、２２Ｂ、２２Ｃ）の電子基板２０への固定を補強している。
【００６０】
上記説明においては、コネクタの一例としてＵＳＢコネクタを用いたが、この実施の形態においてはこれに限られるものではなく、例えば、ｅＳＡＴＡ、ディスプレーポート、ＨＤＭＩ、オーディオジャック等のコネクタに適用することも可能である。
【００６１】
上記のように構成することによって、この発明の実施の形態においては、複数のコネクタが効率的に実装された電子機器を提供することが可能になる。
なお、上記実施形態は、記述そのものに限定されるものではなく、実施段階では、その趣旨を逸脱しない範囲で、構成要素を種々変形して具体化することが可能である。
【００６２】
また、上記実施形態に開示されている複数の構成要素の適宜な組み合せにより種々の発明を形成できる。
例えば、実施形態に示される全構成要素から幾つかの構成要素を削除してもよい。更に、異なる実施形態に亘る構成要素を適宜組み合せてもよい。
【符号の説明】
【００６３】
１…第１のコネクタ固定部、２…第２のコネクタ固定部、３…第３のコネクタ固定部、１９Ａ…ＵＳＢコネクタ（Ｂ端子）収容部、１９Ｂ…ＵＳＢコネクタ（Ｂ端子）収容部、１９Ｃ…ＵＳＢコネクタ（Ｂ端子）収容部、２０…電子基板、２２Ａ…ＵＳＢコネクタ（オフセットタイプ）、２２Ｂ…ＵＳＢコネクタ（オフセットタイプ）、２２Ｃ…ＵＳＢコネクタ（オフセットタイプ）、２３Ａ…信号ピン、２３Ｂ…信号ピン、２３Ｃ…信号ピン、２４Ａ…第１補強ピン、２４Ｂ…第１補強ピン、２４Ｃ…第１補強ピン、２５Ａ…第２補強ピン、２５Ｂ…第２補強ピン、２５Ｃ…第２補強ピン。
【図１】
2012221649.tif 000003
【図２】
2012221649.tif 000004
【図３】
2012221649.tif 000005
【図４】
2012221649.tif 000006
【図５】
2012221649.tif 000007
【図６】
2012221649.tif 000008
【図７】
2012221649.tif 000009